(57)【要約】【課題】例えば排水縦管を低層階から高層階に向けて洗浄する場合に、高圧水で崩すことができない内壁にこびりついた硬いスラッジを機械的に除去するための研削装置、及びそれを用いた排水縦管清浄化方法を提供する。【解決手段】フレキシブルシャフトと、フレキシブルシャフトの先端に接続したコアビットと、フレキシブルシャフトの末端に接続して、コアビットを回転させるモータと、可撓性を有し、フレキシブルシャフトに沿って配され、フレキシブルシャフトに直立性を付与する可撓性直立部材と、を備える研削装置を用いる。【選択図】図１
2019002215.tif 000002
【特許請求の範囲】
【請求項１】
フレキシブルシャフトと、
前記フレキシブルシャフトの先端に接続したコアビットと、
前記フレキシブルシャフトの末端に接続して、前記コアビットを回転させるモータと、
前記フレキシブルシャフトに沿って配され、可撓性を有し、前記フレキシブルシャフトに直立性を付与する可撓性直立部材と、を備えることを特徴とする研削装置。
【請求項２】
前記可撓性直立部材は、前記フレキシブルシャフトを収容して直立性を付与するための直立性を有する可撓性直立管である請求項１に記載の研削装置。
【請求項３】
前記可撓性直立部材と前記フレキシブルシャフトとは、巻取リールから送り出され、
前記モータは、前記巻取リールの回転に伴って回転するように配置されている請求項１または２に記載の研削装置。
【請求項４】
前記モータは、スリップリングを介して電源に接続されている請求項１〜３の何れか１項に記載の研削装置。
【請求項５】
前記可撓性直立部材で直立性を付与された前記フレキシブルシャフトを送り上げる少なくとも一対の送りローラを備える、送り上げ機をさらに備える請求項１〜４の何れか１項に記載の研削装置。
【請求項６】
前記可撓性直立部材に沿って配された耐圧ホースと、前記耐圧ホースの先端に接続されたノズルと、前記耐圧ホースの末端の側に接続された高圧洗浄機をさらに備え、
前記ノズルは、前記コアビットの周囲に配置されている請求項１〜５の何れか１項に記載の研削装置。
【請求項７】
高層建物の排水縦管を清浄化するための排水縦管清浄化方法であって、
請求項１〜６の何れか１項に記載の研削装置を準備する工程と、
前記フレキシブルシャフトを前記可撓性直立部材により直立性を付与した姿勢で送り上げる工程と、
前記モータで前記フレキシブルシャフトを回転させることにより、前記排水縦管内で前記コアビットを回転させる工程と、を備えることを特徴とする排水縦管清浄化方法。
【請求項８】
前記排水縦管内を予め高圧水で洗浄する工程をさらに備える、請求項７に記載の排水縦管清浄化方法。
【発明の詳細な説明】
【技術分野】
【０００１】
本発明は、集合住宅等の高層建物に設置されている排水縦管を清浄化するために好ましく用いられる研削装置、及びそれを用いた排水縦管清浄化方法に関する。
【背景技術】
【０００２】
集合住宅等の高層建物の流し台、洗面所、浴室、トイレ等の設備から発生する排水は、各設備の配された室内から通じる横枝管を経て、各階を貫通する共用の排水縦管から汚水槽等に流される。
【０００３】
排水には多量の残渣や油脂等が含まれている。排水縦管の内壁には、排水の通過する時間の経過に伴い、排水中の残渣や油脂等が凝集して形成された固形物であるスラッジ（固形物）が徐々に固着し、管径を徐々に減少させる。スラッジをそのまま放置した場合にはスラッジが成長して排水縦管を閉塞させることもある。このような排水縦管の閉塞を防ぐために、高層建物に設置されている排水縦管は一定期間ごとに清掃される必要がある。
【０００４】
排水縦管を清掃する方法として、高圧水噴射ノズルを先端に取り付けた耐圧ホースを排水縦管内に挿入し、ノズルから噴射される高圧水を排水縦管の内壁に固着したスラッジに当てることにより、スラッジを崩すようにして清掃する方法（以下、単に、高圧洗浄方法とも称する）が広く用いられている。
【０００５】
高圧洗浄方法としては、低層階側から高層階側に向かって排水縦管を洗浄する方法が知られている。例えば、下記特許文献１及び２は、高層建物に設置されている排水縦管において、内壁に大量のスラッジが固着して内径が小さくなっているような排水縦管でも洗浄することができる排水縦管洗浄装置を提案している。具体的には、特許文献１及び特許文献２は、高層建物の排水縦管を洗浄するための排水縦管洗浄装置であって、先端に高圧水噴射ノズルを備える耐圧ホースと、耐圧ホースを直立に保持する可撓性直立支持材と、耐圧ホースに接続されて、管洗浄用ノズルに高圧水を供給する高圧水洗浄機と、を備える排水縦管洗浄装置を開示する。
【先行技術文献】
【特許文献】
【０００６】
【特許文献１】特許５７４８２５５号公報
【特許文献２】特許５７４８２５１号公報
【発明の概要】
【発明が解決しようとする課題】
【０００７】
特許文献１及び特許文献２に開示された排水縦管洗浄装置によれば、高層建物の排水縦管内を低層階側からの作業だけで、低層階側から高層階側に向かって排水縦管を洗浄することができる。しかしながら、特許文献１及び特許文献２に開示されたような排水縦管洗浄装置においては、低層階側から高層階側に向かって排水縦管内で高圧水噴射ノズルを上昇させながら洗浄する場合、排水縦管内面を高圧水を当てて洗浄するだけであるために、排水縦管内にこびりついた硬いスラッジが除去されないことがあった。
【０００８】
本発明は、排水縦管を低層階から高層階に向けて洗浄する場合に、高圧水で崩すことができない内でこびりついた硬いスラッジを機械的に除去するために好ましく用いられる研削装置、及びそれを用いた排水縦管清浄化方法を提供することを目的とする。
【課題を解決するための手段】
【０００９】
本発明の一局面は、フレキシブルシャフトと、フレキシブルシャフトの先端に接続したコアビットと、フレキシブルシャフトの末端に接続して、コアビットを回転させるモータと、前記フレキシブルシャフトに沿って配され、可撓性を有し、フレキシブルシャフトに直立性を付与する可撓性直立部材と、を備える研削装置である。このような研削装置によれば、例えば、排水縦管を高層建物の低層階側から高層階側に向かって、高圧水噴射ノズルを進行させて高圧水で洗浄しても除去されないような、こびりついた硬いスラッジを除去することができる。可撓性直立部材としては、フレキシブルシャフトを収容して直立性を付与できる、例えばアルミニウム三層管のような可撓性直立管や、グラスファイバーロッドのような可撓性を有するロッドが挙げられる。
【００１０】
また、可撓性直立部材とフレキシブルシャフトとは、巻取リールから送り出され、モータは、巻取リールの回転に伴って回転するように配置されていることが好ましい。具体的には、例えば、モータは、巻取リールの回転に伴って回転するように、巻取リールの回転軸上に配置されて固定されていることが好ましい。このような構成によれば、フレキシブルシャフトの末端をモータと接続しても、フレキシブルシャフトをスムーズに送り出し、また巻き取ることができる。
【００１１】
また、モータは、スリップリングを介して電源に接続されていることが、モータが巻取リールに伴って回転しても、電源に接続される電線がねじれない点から好ましい。
【００１２】
また、研磨装置は、可撓性直立部材で直立性を付与されたフレキシブルシャフトを送り上げる少なくとも一対の送りローラを備える、送り上げ機をさらに備えることが、高層建物の排水縦管内を低層階側から高層階側に向かってコアビットを接続したフレキシブルシャフトを送り上げやすい点から好ましい。
【００１３】
また、研磨装置は、可撓性直立部材に沿って配された耐圧ホースと、耐圧ホースの先端に接続されたノズルと、耐圧ホースの末端の側に接続された高圧洗浄機とをさらに備え、ノズルは、コアビットの周囲に配置されていることが、例えば、排水縦管内を低層階側から高層階側に向かってコアビットを進行させてこびりついた硬いスラッジを除去したときに、崩したスラッジに水を噴射することにより洗浄して低層階側に落とすことができる点から好ましい。
【００１４】
また、本発明の他の一局面は、高層建物の排水縦管を清浄化するための排水縦管清浄化方法であって、上記何れかの研削装置を準備する工程と、フレキシブルシャフトを可撓性直立部材により直立性を付与した姿勢で送り上げる工程と、モータでフレキシブルシャフトを回転させることにより、排水縦管内でコアビットを回転させる工程と、を備える排水縦管清浄化方法である。このような排水縦管清浄化方法によれば、排水縦管を高層建物の低層階側から高層階側に向かって高圧水噴射ノズルを進行させて高圧水で洗浄しても除去されないような固く付着したスラッジを除去することができる。このような排水縦管清浄化方法においては、排水縦管内を予め高圧水で洗浄する工程をさらに備えることが好ましい。排水縦管内に大量のスラッジが堆積している場合には、研削装置のコアビットを排水縦管内を進行させることが困難であったり、すぐにコアビットの刃がかけてしまったりするという問題がある。このような場合には、排水縦管内を高圧水により予め洗浄して排水縦管内の大量のスラッジを予め除去しておくことにより、高圧水では落とすことができない、排水縦管内の内壁にこびりついた硬いスラッジのみを重点的に落とすことができる。
【発明の効果】
【００１５】
本発明によれば、排水縦管内にこびりついた硬いスラッジを効果的に除去することができる。
【図面の簡単な説明】
【００１６】
【図１】図１は、実施形態の排水縦管Ｌを洗浄するための研削装置２０の全体構成を示す模式説明図である。
【図２】図２は、実施形態のコアビット２をフレキシブルシャフト１に接続し、フレキシブルシャフト１を可撓性直立管３に収容している構成を説明するための部分断面模式図である。
【図３】図３は、図１の巻取リール５の付近の構成を図１の紙面左側から見たときの模式構成図である。
【図４】図４は、排水縦管Ｌの開口部に接続された分岐管８と固液分離装置１０を説明する模式説明図である。
【図５】図５は、排水縦管清浄化方法の実施形態を説明するための模式説明図である。
【図６】図６は、実施形態のコアビット２をフレキシブルシャフト１に接続し、ノズル１２を耐圧ホース１３に接続し、それらを可撓性直立管３に収容している構成を説明するための部分断面模式図である。
【発明を実施するための形態】
【００１７】
本発明に係る研削装置、及び排水縦管清浄化方法の一実施形態を図面を参照しながら説明する。
【００１８】
図１は、本発明に係る一実施形態の、排水縦管Ｌを洗浄するための研削装置２０の全体構成を示す模式説明図である。図１中、１はフレキシブルシャフトであり、２はフレキシブルシャフト１の先端に装着されたコアビットであり、３は可撓性直立部材である、フレキシブルシャフト１を収容する直立性を有する可撓性管（可撓性直立管）であり、４はフレキシブルシャフト１を収容した可撓性直立管３を直立状態で送り上げる送りローラ４ａを備える送り上げ機であり、５は、可撓性直立管３に収容された状態のフレキシブルシャフト１を巻回させて収納するための巻取リールであり、６は巻取リール５の回転に伴って回転するように巻取リール５のシャフト５ｂに固定されたモータであり、７は、モータ６に電力を供給する電源であり、８は分岐管である。分岐管８は排水縦管Ｌの開口に一端が接続される主路８ａ，主路８ａから分岐する分岐路８ｂ、フレキシブルシャフト１の先端にコアビット２を装着したり交換したり、排水縦管内を観察したりするために用いられる扉８ｃ、送り上げ機４の可撓性直立管３に収容された状態のフレキシブルシャフト１の出口をシールする止水シール構造を備える。また、１１ｃは、モータに電力を送る電線である。１０は、分岐路８ｂから排出されるスラッジ及び水を固液分離する固液分離装置である。固液分離装置１０は、スラッジを捕捉する網１０ａと排水ポンプ１０ｂとを備える。
【００１９】
図１に示すように、研削装置２０においては、排水縦管Ｌの低層階側に設けた開口部に、分岐管８を介して可撓性直立管３に収容されたフレキシブルシャフト１を送り上げるための送り上げ機４を配置する。図４は、送り上げ機４の周辺を拡大して示した模式説明図である。図４に示すように、送り上げ機４には、例えば、４組の送りローラ４ａが配設されている。各組の送りローラ４ａを形成するローラは、例えば、人がハンドルを回すことにより回転力を与えるハンドルを有する巻き上げギア機構や、電動モータで回転力を与える等、送りローラ４ａにより可撓性直立管３に収容されたフレキシブルシャフト１を挟持して上方に送り上げるような機構を備える。送り上げ機４により、排水縦管Ｌの低層階側の開口部から高層階側に向かって、可撓性直立管３に収容されたフレキシブルシャフト１を送り上げる。
【００２０】
図２は、フレキシブルシャフト１を可撓性直立管３に収容し、フレキシブルシャフト１の先端にコアビット２を接続し、フレキシブルシャフト１の末端にモータ６を接続している構成を説明する部分断面模式図である。図２においては、フレキシブルシャフト１を可撓性直立管３に収容している状態の一部分のみを長手方向に断面視して示している。
【００２１】
図２に示すように、先端にコアビット２を接続し、末端にモータ６を接続したフレキシブルシャフト１は可撓性直立管３に収容されている。可撓性直立管３の内部には空隙が形成される。可撓性直立管３の先端を封止蓋３ａ、先端を封止蓋３ｂで閉じることにより、可撓性直立管３の内部に、崩したスラッジの破片が侵入することを防いでいる。
【００２２】
図２に示すコアビット２は、筒状の硬質部材であり、先端にダイヤモンドが埋め込まれた複数の先端刃部２ａを備える。また、コアビット２には、管内の側面を研磨するために、らせん状に形成されたダイヤモンドを埋め込んだ側面刃部２ｂを有する。なお、本発明におけるコアビットは、このような形状のものに限定されず、従来から知られた、コアビット、またはコアビットの１種であるノンコアビットやホールソーのような、回転により管内に付着したスラッジを崩すことができるような研削工具であれば特に限定なく用いられる。
【００２３】
図２に示すフレキシブルシャフト１は、先端にコアビット２を接続し、末端にモータ６のシャフト６ａを接続し、シャフト６ａの回転力をコアビット２に伝達するためのシャフト部材である。フレキシブルシャフト１は、回転力を伝達するフレキシブルワイヤー１ａと回転するフレキシブルワイヤー１ａを収容して保護するフレキシブルチューブ１ｂとを備える。フレキシブルシャフトの種類は特に限定されず、フレキシブル性を備え、回転を伝達するシャフト部材であれば特に限定されない。
【００２４】
フレキシブルシャフトの長さは、洗浄したい部分にまで届く長さが適宜選択されるが、例えば、高層建物の排水縦管の高層階まで清浄化する場合には、１０ｍ以上、さらには、１５ｍ以上、とくには２０ｍ以上であることが好ましい。
【００２５】
図２に示す可撓性直立部材である可撓性直立管３は、巻回可能な可撓性と巻回状態から解放して直線状に賦形したときに直立性を保持する管状の部材である。このような可撓性直立管は、可撓性を有するために作業現場へ巻取リールに巻回した状態で運搬することができるとともに、排水縦管内においてはフレキシブルシャフトに直立性を付与することができる。このような直立性を有する可撓性直立管としては、アルミニウム管の内層と外層をポリエチレン等の樹脂で被覆したアルミニウム三層管やフレキシブル金属チューブ（パイプ）のような直立性フレキシブルチューブ等が挙げられる。なお、可撓性直立部材としては、可撓性直立管に代えて、フレキシブルシャフトにグラスファイバーロッドのような直立性を保持するロッド状の部材を沿わせるように固定して、フレキシブルシャフトに直立性を保持させるような手段を用いてもよい。
【００２６】
可撓性直立部材は、具体的には、例えば、直立時に少なくとも２ｍ、好ましくは３ｍ、さらに好ましくは５ｍの直立姿勢を保ちうる剛性を有する部材であることが好ましい。このような可撓性直立部材によってフレキシブルシャフトに直立性を付与することにより、排水縦管内でフレキシブルシャフトに直立状態を維持させることができ、先端に備えられたコアビットを回転させながら高層階まで送り上げることができる。
【００２７】
図２に示すように、フレキシブルシャフト１のフレキシブルワイヤー１ａの末端は、モータ６のシャフト６ａに接続されている。このような構成によれば、モータ６に電力を供給してシャフト６ａを回転させることにより、フレキシブルシャフト１のフレキシブルワイヤー１ａにより回転力が伝達されて先端に接続されたコアビット２を回転させることができる。
【００２８】
次に、図３を参照して、図２に示したような可撓性直立管３に収容されたフレキシブルシャフト１を巻取リール５に巻回された状態から送り出して、フレキシブルシャフト１をモータ６で回転させるための構成の一例を説明する。
【００２９】
図３は、図１の巻取リール５の付近の構成を図１の紙面左側から見たときの模式構成図である。図３に示すように、巻取リール５はドラム部５ａとドラム部５ａに固定されたシャフト５ｂと、シャフト５ｂを片側で受ける軸受５ｃと、軸受５ｃを支持する脚５ｄとを備える。また、モータ６は、シャフト５ｂの回転に伴って回転するようにシャフト５ｂに固定されている。
【００３０】
シャフト５ｂのモータ６が固定された側の端部にはスリップリング機構１１が接続されている。スリップリング機構１１は、電源７から電線１１ｃを介して電力が供給される互いに異なる極の金属製のリングである第１スリップリング１１ａと第２スリップリング１１ｂとを備え、モータ６の互いに異なる極の端子に接続されるブラシ６ｂ，６ｃを、それぞれ第１スリップリング１１ａ及び第２スリップリング１１ｂの表面で摺動させることにより、シャフト５ｂに固定されて回転するモータ６に電力を供給することを可能にする。電源７は特に限定されず、バッテリーのような直流電源であっても、ＡＣ電源のような交流電源であってもよい。スリップリング機構１１を介して、シャフト５ｂに固定されて回転するモータ６に電力を供給することにより、シャフト５ｂを中心軸として回転するモータ６を駆動させることができる。
【００３１】
送り上げ機４により、可撓性直立管３に収容されたフレキシブルシャフト１を排水縦管Ｌ内の低層階側から高層階側へ送り上げるとき、可撓性直立管３に収容されたフレキシブルシャフト１を送り出す力により、巻取リール５はシャフト５ｂを中心軸として回転する。このとき、モータ６はシャフト５ｂに固定されているために、モータ６も巻取リール５の回転に伴ってシャフト５ｂを中心軸として回転する。シャフト５ｂを中心軸として回転するモータ６を駆動させてシャフト６ａを一方向に回転させることにより、フレキシブルシャフト１のフレキシブルワイヤー１ａがシャフト６ａの回転を伝達し、さらに、コアビット２を回転させる。
【００３２】
次に、上述したような研削装置２０を用いた排水縦管清浄化方法について説明する。
【００３３】
図５は、本実施形態に係る排水縦管清浄化方法の一実施形態を説明するための説明図である。本実施形態の排水縦管清浄化方法においては、はじめに、排水縦管Ｌの開口部に分岐管８を接続する。具体的には、排水縦管Ｌの低層階、好ましくは１階で排水縦管Ｌを切断する。そして、排水縦管Ｌの切断により形成された開口部に分岐管８を接続する。そして、排水縦管の低層階側に設けた開口部の下方に送り上げ機４を配置する。
【００３４】
そして、巻取リール５から、巻回された可撓性直立管３に収容されたフレキシブルシャフト１を引き出し、送り上げ機４の一対の送りローラ４ａに挟持させて、送りローラ４ａを回転させることにより、可撓性直立管３に収容されたフレキシブルシャフト１を分岐管８の管内に侵入させる。そして、分岐管８の扉８ｃを開き、コアビット２を扉８ｃから管内に入れ、分岐管８の管内のフレキシブルシャフト１のフレキシブルワイヤー１ａの先端に接続する。このようにして、研削装置２０が清浄化される排水縦管Ｌにセットされる。
【００３５】
そして、可撓性直立管３に収容されたフレキシブルシャフト１を挟持させた送りローラ４ａをさらに回転させることにより、排水縦管Ｌ内において、先端にコアビット２を接続したフレキシブルシャフト１を低層階側から高層階側に向かって送り上げる。このとき、巻取リール５からコアビット２を接続した可撓性直立管３に収容されたフレキシブルシャフト１が順次送り出され、巻取リール５のシャフト５ｂは回転する。
【００３６】
このとき、排水縦管Ｌ内において、コアビット２を低層階側から高層階側に送り出した後、または送り出しながら、モータ６をオンにして、モータ６のシャフト６ａを回転させる。シャフト６ａの回転はフレキシブルシャフト１のフレキシブルワイヤー１ａを介してコアビット２に伝達される。そして、コアビット２の回転により、排水縦管Ｌの内壁に付着したスラッジが研磨されて、崩される。
【００３７】
そして、図５に示すように、可撓性直立管３に収容されたフレキシブルシャフト１を送り上げ機４で送り上げながら可撓性直立管３を直線状に賦形し、排水縦管Ｌ内において、コアビット２を回転させることにより排水縦管Ｌの内壁に付着したスラッジを除去する。フレキシブルシャフト１は可撓性直立管３に直立性を付与されるために、フレキシブルシャフト１は撓まずに、直立姿勢を維持したまま低層階側から高層階側に向かって、１階（１Ｆ）から、２Ｆ、３Ｆ・・・と、直立させた状態で低層階側から高層階側に向かって送り上げられる。
【００３８】
そして、コアビット２で崩された排水縦管Ｌの内壁に固着したスラッジは、排水縦管Ｌ内を落下する。そして、落下したスラッジは、分岐管８の分岐路８ｂから排出される。
【００３９】
図４に示すように、排水縦管Ｌの開口部に配置された分岐管８の分岐路８ｂには、網１０ａ及び排水ポンプ１０ｂを備えた固液分離装置１０が接続されている。このような分岐管８を設けることにより、排水縦管内の研磨により崩されたスラッジを分岐路８ｂに誘導することによりスラッジを分離することができる。すなわち、排水縦管Ｌ内をスラッジが落下してきたとき、止水シール構造８ｄにより可撓性直立管３に収容されたフレキシブルシャフト１を送り込む部分をシールすることにより、落下してきたスラッジが分岐管８の直下の送り上げ機４の内部に漏出することを抑制できる。そして、分岐路８ｂから排出されたスラッジと水は固液分離装置１０で分離することができる。固液分離装置１０で分離された水はそのまま既設の排水縦管や排水横管等に排出することができる。また、固液分離装置１０で分離されたスラッジは回収した後、産業廃棄物として簡単に処理することができる。
【００４０】
なお、以上のような排水縦管清浄化方法においては、コアビット２で排水縦管Ｌの内部を清浄化する前に、排水縦管内を予め高圧水で洗浄する工程をさらに備えることが好ましい。排水縦管内に大量のスラッジが堆積している場合には、研削装置のコアビットを排水縦管内を進行させることが困難であったり、すぐにコアビットの刃がかけてしまったりするという問題がある。このような場合には、はじめに、排水縦管内を高圧水により予め洗浄して排水縦管内の大量のスラッジを予め高圧水で除去しておくことにより、高圧水では落とすことのできなかった、排水縦管の内壁にこびりついた硬いスラッジのみを重点的に落とすことができる。排水縦管を高圧水で洗浄する方法としては、例えば、特許文献１及び特許文献２に記載されたような、高層建物に設置されている排水縦管において、大量のスラッジが固着して内径が小さくなっているような排水縦管でも洗浄することができる排水縦管洗浄装置である、高層建物の排水縦管を洗浄するための排水縦管洗浄装置を用い、先端に高圧水噴射ノズルを備える耐圧ホースと、耐圧ホースを直立に保持する可撓性直立支持材と、耐圧ホースに接続されて、管洗浄用ノズルに高圧水を供給する高圧水洗浄機と、を備える排水縦管洗浄装置を用いて、高層建物の排水縦管の低層階側に設けた開口から、先端に高圧水噴射ノズルを備え、可撓性直立支持材を備える耐圧ホースを、低層階側から高層階側へ送りながら洗浄する方法が好ましく用いられる。
【００４１】
以上、本発明に係る研削装置、及びそれを用いた排水縦管清浄化方法の一実施形態に基づいて詳しく説明したが、本発明に係る研削装置、及びそれを用いた排水縦管清浄化方法は上述した実施形態に限定されるものではなく、本発明の要旨を逸脱しない範囲において適宜変更して用いられてもよい。
【００４２】
例えば、上記実施形態においては、高層建物の排水縦管の低層階側から高層階側へ向けて、可撓性直立部材で直立性を付与した、コアビットを先端に接続したフレキシブルシャフトを送り上げ機で送り上げたが、コアビットを先端に接続したフレキシブルシャフトとともに、コアビットの周囲に水を噴射するためのノズルを配置し、ノズルに可撓性直立部材に沿って配された耐圧ホースを接続し、耐圧ホースに高圧洗浄機から水を供給してノズルから水を噴射させてもよい。具体的には、例えば図６に示すように、可撓性直立管３の先端にノズル１２を備えた耐圧ホース１３をさらに収容し、耐圧ホース１３の末端側に、高圧洗浄機１５を接続し、コアビット２の周囲にノズル１２を配置する。このように構成することにより、管内をコアビット２を進行させてこびりついた硬いスラッジを除去した後、水を噴射することにより崩したスラッジを洗い流して低層階側に落とすことができる。
【００４３】
また、例えば、上記実施形態においては、高層建物の排水縦管の低層階側から高層階側へ向けて、可撓性直立部材で直立性を付与したフレキシブルシャフトを送り上げ機で送り上げたが、送り上げ機を用いずに人力で送り上げてもよい。
【００４４】
また、上記実施形態においては、高層建物の排水縦管を低層階側から高層階側へ向けて、フレキシブルシャフトの先端に接続されたコアビットを送り上げたが、高層階側から低層階側へ向けて進行させても、また、排水横管を進行させてもよい。
【符号の説明】
【００４５】
１  フレキシブルシャフト
１ａ  フレキシブルワイヤー
１ｂ  フレキシブルチューブ
２  コアビット
３  可撓性直立管
４  送り上げ機
４ａ  ローラ
５  巻取リール
５ａ  ドラム部
５ｂ  シャフト
５ｃ  軸受
６  モータ
６ａ  シャフト
６ｂ，６ｃ  ブラシ
７  電源
８  分岐管
８ａ  主路
８ｂ  分岐路
８ｃ  扉
８ｄ  止水シール構造
１０  固液分離装置
１１  スリップリング機構
１１ａ  第１スリップリング
１１ｂ  第２スリップリング
１１ｃ  電線
１２  ノズル
１３  耐圧ホース
１５  高圧洗浄機
２０  研削装置
【図１】
2019002215.tif 000003
【図２】
2019002215.tif 000004
【図３】
2019002215.tif 000005
【図４】
2019002215.tif 000006
【図５】
2019002215.tif 000007
【図６】
2019002215.tif 000008